(57)【特許請求の範囲】
【請求項１】
洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記直流整流回路と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記直流整流回路と第２の制御回路の間に前記検知スイッチを配置し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有する食器洗い機。
【請求項２】
洗浄槽に配置し洗浄槽の水位により上下動するフロートと、前記フロートにより接点をオンする検知スイッチと、給水装置と、排水装置と、機器内の交流電源ライン間に直列に接続したコンデンサと、交流電源ラインに配置したスイッチと、前記コンデンサの１つの出力端子に接続した圧接スイッチと、前記圧接スイッチを介して前記コンデンサの１つの両端子間に接続した抵抗および直流整流回路と、前記直流整流回路出力と前記スイッチの制御端子の間に配置し前記スイッチの制御端子を制御する第１の制御回路と、前記検知スイッチを介して前記コンデンサの１つの両端子間に接続した第２の抵抗および第３の直流整流回路と、前記第３の直流整流回路出力と前記スイッチの制御端子の間に配置し前記スイッチの制御端子を制御する第２の制御回路と、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記検知スイッチを前記コンデンサの１つの出力端子に接続し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有する食器洗い機。
【請求項３】
洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記コンデンサの１つの出力端子と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電流をマイクロコンピュータに入力する第３の入力回路と、前記検知スイッチのオンオフにより変化する回路中の電流をマイクロコンピュータに入力する第４の入力回路と、前記マイクロコンピュータにより前記第３または第４の入力回路電圧を読んで前記スイッチを制御する出力を出す出力回路と、異常報知装置とを備え、前記コンデンサの１つの出力端子と第２の制御回路の間に前記検知スイッチを配置し、前記スイッチがオンしたとき、前記マイクロコンピュータが第３または第４の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有する食器洗い機。
【発明の詳細な説明】
【０００１】
【発明の属する技術分野】
本発明は、食器を洗浄する食器洗い機に関するものである。
【０００２】
【従来の技術】
従来、この種の食器洗い機は図４に示すように構成していた。以下、その構成について説明する。
【０００３】
図４に示すように、食器洗い機本体の洗浄槽１７は、その底面１７ａにフロート１８を上下動自在に設け、底面１７ａに水がたまると浮力により上昇し、マイクロスイッチ（検知スイッチ）１０の接点を閉じる構造となっている。給水装置１９および排水装置２０は、マイクロコンピュータ１２ａにより制御されている。
【０００４】
マイクロコンピュータ１２ａを含む電子回路１２には常に交流電源１から通電しており、圧接スイッチ（スイッチを操作したときのみ接点の状態が変化し、操作力を除去すると接点は元の状態に戻るタイプのスイッチを本発明においては圧接スイッチという）を押すたびにスイッチを構成するリレー６がオンオフするよう構成し、給水装置１９および排水装置２０は、リレー６がオンすると動作可能状態となり、マイクロコンピュータ１２ａからの指令により動作するよう構成している。
【０００５】
今、リレー６がオフのとき、給水装置１９に異常が発生し（給水弁に異物が挟まるなどにより）、洗浄槽１７の底面１７ａに水が溜まり、一定水位まで上昇すると、フロート１８がマイクロスイッチ１０を押してオンし、これをマイクロコンピュータ１２ａが検知して出力回路１５にマイクロコンピュータ１２ａよりハイ出力を出力する。
【０００６】
これにより、制御回路７のトランジスタ７ａをオンし、電源５より抵抗７ｃを介してリレーコイル６ｂに電流が流れ、リレー接点６ａがオンして排水装置２０が動作可能状態となり、マイクロコンピュータ１２ａからの出力により排水装置２０を駆動して、洗浄槽１７内の水を排水し、同時に異常報知装置１６により異常発生を知らせる。これにより給水異常の発生による機器の電子回路の故障または拡大被害を防止するようにしている。
【０００７】
【発明が解決しようとする課題】
しかしながら、このような従来の構成では、給水異常の監視のために電子回路１２を常に通電状態としているため、機器が有効電力を消費していると言う問題を有していた。また、電子回路１２は２４時間通電であるため、使用時のみ通電の機器と比べ、その耐久性は短いものとなる。
【０００８】
本発明は上記従来の課題を解決するもので、機器の故障による電源オフ時の給水異常を検知すると排水装置を駆動して、２次被害または拡大被害を防止するとともに、その監視状態および電源オフ時に、有効消費電力を極微少または０とすることを目的としている。
【０００９】
【課題を解決するための手段】
本発明は上記目的を達成するために、溢水が発生して検知スイッチが閉じたとき、はじめて交流電源ライン間に直列に接続したコンデンサの１つの両端から得られる電圧をマイクロスイッチを通して制御回路に供給し、交流電源ラインに配置したスイッチをオンし、これにより動作を始めるマイクロコンピュータにより検知スイッチがオンしていることを認識して、溢水の発生を検知し、排水装置を駆動するものである。また、圧接スイッチによる電源オンオフにおいても、交流電源ライン間に直列に接続されたコンデンサの一つの両端から得られる電圧を利用して交流電源ラインに配置されたスイッチを制御するものである。
【００１０】
これにより、機器の故障による電源オフ時の給水異常を検知すると排水装置を駆動して、２次被害または拡大被害を防止できるとともに、その監視状態および電源オフ時に、有効消費電力を極微少または０とすることができる。
【００１１】
【発明の実施の形態】
本発明の請求項１に記載の発明は、洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記直流整流回路と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記直流整流回路と第２の制御回路の間に前記検知スイッチを配置し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するものであり、機器の故障による電源オフ時の給水異常を検知すると排水装置を駆動して、２次被害または拡大被害を防止できるとともに、その監視状態および電源オフ時に、有効消費電力を極微少または０とすることができる。
【００１２】
請求項２に記載の発明は、洗浄槽に配置し洗浄槽の水位により上下動するフロートと、前記フロートにより接点をオンする検知スイッチと、給水装置と、排水装置と、機器内の交流電源ライン間に直列に接続したコンデンサと、交流電源ラインに配置したスイッチと、前記コンデンサの１つの出力端子に接続した圧接スイッチと、前記圧接スイッチを介して前記コンデンサの１つの両端子間に接続した抵抗および直流整流回路と、前記直流整流回路出力と前記スイッチの制御端子の間に配置し前記スイッチの制御端子を制御する第１の制御回路と、前記検知スイッチを介して前記コンデンサの１つの両端子間に接続した第２の抵抗および第３の直流整流回路と、前記第３の直流整流回路出力と前記スイッチの制御端子の間に配置し前記スイッチの制御端子を制御する第２の制御回路と、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記検知スイッチを前記コンデンサの１つの出力端子に接続し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するものであり、機器の故障による電源オフ時の給水異常を検知すると排水装置を駆動して、２次被害または拡大被害を防止できるとともに、その監視状態および電源オフ時に、有効消費電力を０とすることができる。
【００１３】
請求項３に記載の発明は、洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記コンデンサの１つの出力端子と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電流をマイクロコンピュータに入力する第３の入力回路と、前記検知スイッチのオンオフにより変化する回路中の電流をマイクロコンピュータに入力する第４の入力回路と、前記マイクロコンピュータにより前記第３または第４の入力回路電圧を読んで前記スイッチを制御する出力を出す出力回路と、異常報知装置とを備え、前記コンデンサの１つの出力端子と第２の制御回路の間に前記検知スイッチを配置し、前記スイッチがオンしたとき、前記マイクロコンピュータが第３または第４の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するものであり、電子回路の電源構成に依存せずに、機器の故障による電源オフ時の給水異常を検知すると排水装置を駆動して、２次被害または拡大被害を防止できるとともに、その監視状態および電源オフ時に、有効消費電力を極微少または０とすることができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、交流電源１は、ライン間に第１のコンデンサ（コンデンサ）２および第２のコンデンサ（コンデンサ）３を接続しており、交流電源１のＡ側端子に第１のコンデンサ２の一端を接続し、交流電源１のＢ側端子に第２のコンデンサ３の一端を接続している。以降、第１のコンデンサ２と第２のコンデンサ３との接続点をコンデンサ出力点と呼ぶ。
【００１６】
抵抗４は第１のコンデンサ２の両端に接続している。直流整流回路５は、第１のコンデンサ２の両端に、コンデンサ出力点からダイオード５ｂのアノード、カソード、コンデンサ５ａの順に接続している。以降、コンデンサ５ａに発生する直流電圧を直流整流電圧という。抵抗４により高い直流整流電圧を得ることができる。また得られる電流も増加する。これにより第１のコンデンサ２および第２のコンデンサ３の容量値を小さくすることが可能である。
【００１７】
リレー６はスイッチを構成しており、交流電源１のＢ側ラインに配置したリレー接点６ａと、スイッチ制御部であるリレーコイル６ｂにより構成している。第１の制御回路７は、リレーコイル６ｂの駆動を通してリレー接点６ａの開閉を制御し、トランジスタ７ａとそのベース抵抗７ｂ、およびリレーコイル６ｂの電流を定格値以内に制限する抵抗７ｃからなっている。
【００１８】
その接続は、リレーコイル６ｂに接続した抵抗７ｃの他端をトランジスタ７ａのコレクタに接続し、そのベースを抵抗７ｂに接続し、エミッタを交流電源１のＡ側端子に接続している。この第１の制御回路７は電流増幅回路あるいは電圧増幅回路により構成することができ、その素子としてはトランジスタ、ＦＥＴ、フォトカプラなどにより実現できるが、本実施例においてはトランジスタによる電流増幅回路の一例を示す。
【００１９】
第２の制御回路８は、抵抗８ａとトランジスタ７ａ、コレクタ抵抗７ｃからなっている。なお、本実施例においては第１の制御回路７と第２の制御回路８はベース抵抗を除いて共通の構成としているが、独立して作成することも可能である。圧接スイッチ９は、直流整流回路５の出力と抵抗７ｂの他端に接続している。
【００２０】
マイクロスイッチ（検知スイッチ）１０は、直流整流回路５の出力と抵抗８ａの他端に接続している。第２の直流整流回路１１は、リレーコイル６ｂを駆動するための電源である。その接続は、交流電源１のＢ側端子からＡ側端子に、抵抗器１１ｃ、ダイオード１１ｂのアノード、カソード、コンデンサ１１ａの順に接続しており、リレーコイル６ｂの他端をダイオード１１ｂとコンデンサ１１ａの接続点に接続している。
【００２１】
機器の電子回路１２は、マイクロコンピュータ１２ａを有し、そのマイナス電源を交流電源１のＡ側端子と接続している。第１の入力回路１３は、圧接スイッチ９と抵抗７ｂの接続点から交流電源のＡ側端子にかけて、抵抗１３、定電圧ダイオード１３ａのカソード、アノードの順に接続し、定電圧ダイオード１３ａのカソードをマイクロコンピュータ１２ａに入力している。
【００２２】
第２の入力回路１４は、マイクロスイッチ１０と抵抗８ａの接続点から交流電源１のＡ側端子にかけて、抵抗１４ｂ、定電圧ダイオード１４ａのカソード、アノードの順に接続し、定電圧ダイオード１４ａのカソードをマイクロコンピュータ１２ａに入力している。
【００２３】
本実施例においては、コンデンサ５ａの直流整流電圧はマイクロコンピュータ１２ａの入力端子電圧定格より高い電圧を発生するものとする。したがって、定電圧ダイオード１３ａおよび１４ａの動作電圧は、圧接スイッチ９またはマイクロスイッチ１０の接点が閉じたときマイクロコンピュータ１２ａの入力端子に印加される電圧が、マイクロコンピュータ１２ａの入力電圧定格以下であり、かつマイクロコンピュータ１２ａのハイレベル検知のスレショールド電圧以上のものを使用するものとする。
【００２４】
出力回路１５は、本実施例においては、マイクロコンピュータ１２ａの出力端子からトランジスタ７ａのベースに接続している。異常報知装置１６は、マイクロコンピュータ１２ａの出力により制御されている。
【００２５】
洗浄槽１７は食器を収容して洗浄するもので、その底面１７ａにフロート１８を上下動自在に設け、底面１７ａに水がたまると浮力により上昇し、水位が一定値になるとマイクロスイッチ１０の接点を閉じる構造となっている。給水装置１９は、マイクロコンピュータ１２ａにより制御され、排水装置２０は、同様にマイクロコンピュータ１２ａにより制御されている。
【００２６】
上記構成において動作を説明する。第１のコンデンサ２には、交流電源１を第２のコンデンサ３とで分圧した交流電圧が発生し、この分圧電圧を直流整流回路５のコンデンサ５ａおよびダイオード５ｂによりコンデンサ５ａの両端に直流電圧が発生する。抵抗４は直流整流回路５の出力電圧および電流を高めるためのものであり、以降の回路の制御性を高めるためのものである。
【００２７】
リレー６がオフのとき、給水装置１９の故障などにより洗浄槽１７内の水位が上昇していくと、その水位に応じてフロート１８が上昇し、一定の水位に達してマイクロスイッチ１０を押すと、その接点が閉じ、直流整流回路５のコンデンサ５ａより第２の制御回路８のベース抵抗８ａを介してトランジスタ７ａにベース電流が供給され、トランジスタ７ａはオンし、第２の直流整流回路１１よりコレクタ電流が流れ、抵抗７ｃにより制限された電流がリレーコイル６ｂに流れ、リレー接点６ａが閉じる。
【００２８】
これにより、マイクロコンピュータ１２ａは動作を始める。マイクロコンピュータ１２ａは第１の入力回路１３および第２の入力回路１４の電圧を監視しており、第２の入力回路１４からの電圧がハイであることを検知して、マイクロスイッチ１０の接点が閉じたことを認識し、排水装置２０を駆動して排水を行うとともに異常報知回路１６を駆動して異常が発生したことを知らせる。
【００２９】
つぎに、圧接スイッチ９が押されると、直流整流回路５の出力からトランジスタ７ａにベース電流を供給し、リレー６をオンする。これにより、マイクロコンピュータ１２ａが動作を始め、第１の入力回路１３の出力電圧がハイであることを認識して出力回路１５にハイ電圧を出してリレー６のオンを保持する。これにより圧接スイッチ９の操作を解除してもリレー６はオンを維持する。
【００３０】
つづいて、予めマイクロコンピュータ１２ａにプログラムした内容にしたがって、洗い、すすぎ、乾燥などの一連の食器洗い行程を実行する。そして、給水行程において給水装置１９を駆動する指令がマイクロコンピュータ１２ａから出されているとき、洗浄槽１７の水位が上昇してマイクロスイッチ１０を押すと、所定の水が供給されたと判断して、食器洗いの次の行程に移行する。
【００３１】
そして、一連の食器洗い行程が終了すると、マイクロコンピュータ１２ａが出力回路１５にロー出力を出して、リレー６をオフする。また、手動でリレー６をオフするときは、圧接スイッチ９を押すことによりオフとなる。
【００３２】
このように、溢水が発生してマイクロスイッチ１０が閉じたとき、はじめて交流電源１のライン間に直列に接続した第１のコンデンサ２および第２のコンデンサ３の１つの両端から得られる電圧をマイクロスイッチ１０を通して第２の制御回路８に供給し、交流電源１のラインに配置したリレー６をオンし、これにより動作を始めるマイクロコンピュータ１２ａによりマイクロスイッチ１０がオンしていることを認識して、溢水の発生を検知し、排水装置２０を駆動することにより、給水装置１９などの故障により電源オフ時の給水異常が発生したとき、２次被害または拡大被害を防止できるとともに、その監視状態での有効消費電力を極微少または０とすることができる。
【００３３】
また、圧接スイッチによる電源オンオフにおいても、交流電源ライン間に直列に接続されたコンデンサの一つの両端から得られる電圧を利用して交流電源ラインに配置されたリレー６を制御することにより、電源オフ時に、有効消費電力を極微少または０とすることができる。
【００３４】
（実施例２）
図２に示すように、第３の直流整流回路２１は、コンデンサ出力点に接続したマイクロスイッチ１０の他端と交流電源１のＡ側端子の間に、ダイオード２１ｂのアノード、カソード、コンデンサ２１ａの順に接続している。第２の抵抗２２はダイオード２１ｂのアノードと交流電源１のＡ側端子に接続している。
【００３５】
コンデンサ５ａの出力には第１の制御回路７の抵抗７ｂおよび第１の入力回路１３の抵抗１３ｂを接続している。コンデンサ２１ａの出力には第２の制御回路８の抵抗８ａおよび第２の入力回路１４の抵抗１４ｂを接続している。他の構成は上記実施例１と同じである。
【００３６】
上記構成において動作を説明する。基本的な動作は上記実施例１と同様であるが、異なる点は圧接スイッチ９またはマイクロスイッチ１０が閉じた後、コンデンサ充電時間分だけ、第１の制御回路７または第２の制御回路８および第１の入力回路１３または第２の入力回路１４の応答が遅れるという違いがある。
【００３７】
本実施例においては、圧接スイッチ９あるいはマイクロスイッチ１０がオフのときは、交流電源１からの有効消費電力が０であることである。
【００３８】
（実施例３）
図３に示すように、第３の入力回路２３は、圧接スイッチ９の出力端からフォトダイオード２３ａを介して第１の制御回路７の抵抗７ｂに接続している。また、マイクロコンピュータ１２ａの電源のプラス端子からマイナス端子の間にフォトトランジスタ２３ｂのコレクタ、エミッタ、定電圧ダイオード２３ａのカソード、アノードの順に接続している。
【００３９】
また、第４の入力回路２４は、マイクロスイッチ１０の出力端からフォトダイオード２４ａを介して第２の制御回路８の抵抗８ａに接続している。また、マイクロコンピュータ１２ａの電源のプラス端子からマイナス端子の間にフォトトランジスタ２４ｂのコレクタ、エミッタ、定電圧ダイオード２４ａのカソード、アノードの順に接続している。他の構成は上記実施例１と同じである。
【００４０】
上記構成において動作を説明する。基本的な動作は上記実施例１と同様であり、異なる点について述べる。圧接スイッチ９が閉じると、直流整流回路５のコンデンサ５ａからの電流がフォトダイオード２３ｃを経由して抵抗７ｂからトランジスタ７ａのベースに流れ、トランジスタ７ａがオンする。このとき、同時にフォトトランジスタ２３ｂから定電圧ダイオード２３ａに流れ、マイクロコンピュータ１２ａにハイ電圧が入力される。マイクロスイッチ１０と第４の入力回路２４に関しても同様の動作を行う。
【００４１】
本実施例は、マイクロコンピュータ１２ａの電源が交流電源１と共通でない場合においても、実施することが可能となる。なお、上記実施例２の構成と組み合わせることも可能であることは明白である。
【００４２】
【発明の効果】
以上のように本発明の請求項１に記載の発明によれば、洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記直流整流回路と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記直流整流回路と第２の制御回路の間に前記検知スイッチを配置し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するから、機器の故障による電源オフ時の給水異常を検知すると排水装置を駆動して、２次被害または拡大被害を防止できるとともに、その監視状態および電源オフ時に、有効消費電力を極微少または０とすることができる。
【００４３】
また、請求項２に記載の発明によれば、洗浄槽に配置し洗浄槽の水位により上下動するフロートと、前記フロートにより接点をオンする検知スイッチと、給水装置と、排水装置と、機器内の交流電源ライン間に直列に接続したコンデンサと、交流電源ラインに配置したスイッチと、前記コンデンサの１つの出力端子に接続した圧接スイッチと、前記圧接スイッチを介して前記コンデンサの１つの両端子間に接続した抵抗および直流整流回路と、前記直流整流回路出力と前記スイッチの制御端子の間に配置し前記スイッチの制御端子を制御する第１の制御回路と、前記検知スイッチを介して前記コンデンサの１つの両端子間に接続した第２の抵抗および第３の直流整流回路と、前記第３の直流整流回路出力と前記スイッチの制御端子の間に配置し前記スイッチの制御端子を制御する第２の制御回路と、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電圧をマイクロコンピュータに入力する第１の入力回路と、前記検知スイッチのオンオフにより変化する回路中の電圧をマイクロコンピュータに入力する第２の入力回路と、前記マイクロコンピュータにより前記第１または第２の入力回路電圧を読んで前記スイッチを制御する出力を出す出力回路と、異常報知装置とを備え、前記検知スイッチを前記コンデンサの１つの出力端子に接続し、前記スイッチがオンしたとき、マイクロコンピュータが第１あるいは第２の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するから、機器の故障による電源オフ時の給水異常を検知すると排水装置を駆動して、２次被害または拡大被害を防止できるとともに、その監視状態および電源オフ時に、有効消費電力を０とすることができる。
【００４４】
また、請求項３に記載の発明によれば、洗浄槽に配置し洗浄槽の水位により上下動するフロートと、前記フロートにより接点をオンする検知スイッチと、給水装置と、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する第１の制御回路および第２の制御回路と、前記コンデンサの１つの出力端子と第１の制御回路の間に配置した圧接スイッチと、前記第１および第２の制御回路の電源用に交流電源ライン間から作成した第２の直流整流回路と、前記スイッチが閉じると機器に電力が供給され動作を始めるマイクロコンピュータと、前記圧接スイッチのオンオフにより変化する回路中の電流をマイクロコンピュータに入力する第３の入力回路と、前記検知スイッチのオンオフにより変化する回路中の電流をマイクロコンピュータに入力する第４の入力回路と、前記マイクロコンピュータにより前記第３または第４の入力回路電圧を読んで前記スイッチを制御する出力を出す出力回路と、異常報知装置とを備え、前記コンデンサの１つの出力端子と第２の制御回路の間に前記検知スイッチを配置し、前記スイッチがオンしたとき、前記マイクロコンピュータが第３または第４の入力回路のいずれによりオンしたかを判定し、検知スイッチがオンしたときは排水装置を駆動し、同時に異常報知装置を駆動し、圧接スイッチによりオンしたときはマイクロコンピュータプログラムに従って一連の食器洗い行程を実行し、給水行程において検知スイッチがオンすると正常給水と判定し、一連の食器洗い行程と判断してプログラムを実行する機能を有するから、電子回路の電源構成に依存せずに、機器の故障による電源オフ時の給水異常を検知すると排水装置を駆動して、２次被害または拡大被害を防止できるとともに、その監視状態および電源オフ時に、有効消費電力を極微少または０とすることができる。
【図面の簡単な説明】
【図１】本発明の第１の実施例の食器洗い機の回路図
【図２】本発明の第２の実施例の食器洗い機の回路図
【図３】本発明の第３の実施例の食器洗い機の回路図
【図４】従来の食器洗い機の回路図
【符号の説明】
１      交流電源
２      第１のコンデンサ（コンデンサ）
３      第２のコンデンサ（コンデンサ）
４      抵抗
５      直流整流回路
６      リレー（スイッチ）
７      第１の制御回路
８      第２の制御回路
９      圧接スイッチ
１０    マイクロスイッチ（検知スイッチ）
１１    第２の直流整流回路
１２ａ  マイクロコンピュータ
１３    第１の入力回路
１４    第２の入力回路
１５    出力回路
１６    異常報知装置
１７    洗浄槽
１８    フロート
１９    給水装置
２０    排水装置
【図１】
0004154843.tif 000002
【図２】
0004154843.tif 000003
【図３】
0004154843.tif 000004
【図４】
0004154843.tif 000005